(57)【特許請求の範囲】
【請求項１】
チャンネルをスキャンすることにより、ディジタル放送波に載せられている番組情報を、各チャンネルで取得していくディジタル放送受信装置において、
各チャンネルの番組情報の取得日時情報を記憶する手段と、
視聴が中断されたときに、各チャンネルの番組情報の取得日時情報と現在日時情報とを比較し、前回の番組情報取得日時から所定時間が経過しているチャンネルの番組情報の取得処理を実行する手段と、を備えることを特徴とするディジタル放送受信装置。
【請求項２】
チャンネルをスキャンすることにより、ディジタル放送波に載せられている番組情報を、各チャンネルで取得していくディジタル放送受信装置において、
各チャンネルの番組情報の取得日時情報を記憶する手段と、
電源ＯＦＦ指令を受けた後に、各チャンネルの番組情報の取得日時情報と現在日時情報とを比較し、前回の番組情報取得日時から所定時間が経過しているチャンネルの番組情報の取得処理を開始し、そのチャンネルの番組情報の取得後に電源ＯＦＦを実行する手段と、を備えることを特徴とするディジタル放送受信装置。
【請求項３】
請求項１又は請求項２に記載のディジタル放送受信装置において、ユーザが前記所定時間を設定できるように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
また、ディジタル放送では、放送番組の番組内容や放送時間などの情報である電子番組ガイド（ＥＰＧ：Ｅｌｅｃｔｒｏｎｉｃ  Ｐｒｏｇｒａｍ  Ｇｕｉｄｅ）情報をサービス情報（ＳＩ：Ｓｅｒｖｉｃｅ  Ｉｎｆｏｒｍａｔｉｏｎ）として放送信号に載せている。そして、放送受信装置は前記ＳＩを放送信号から分離し、ＯＳＤ（オンスクリーンディスプレイ）機能によってＥＰＧ画面を表示するようになっている（特許文献１参照）。
【特許文献１】特開２００２−２９０８８７号公報
【発明の開示】
【発明が解決しようとする課題】
【０００４】
ところで、衛星ディジタル放送では、各放送局が他局の番組情報を送出することとしているが、地上ディジタル放送では、各放送局は自局のＥＰＧ情報のみを送出する。このため、長時間に渡ってユーザが同じチャンネルの番組を見続けていると、他のチャンネルの番組情報が更新されても（例えば、番組の延期、繰り上げ、短縮、変更等が行われていても）、当該受信機においては他のチャンネルの番組情報は更新されず、ユーザは旧い番組情報しか得ることができない。更に、購入直後から若しくは数日に渡って同一チャンネルの視聴を続けていると、他のチャンネルの番組情報は一切取得できず、他のチャンネルの番組情報が提示できないといった状況にもなりかねない。
【０００５】
このため、地上ディジタル放送受信装置は、電源ＯＦＦなど、いわゆる視聴が中断されたときに、番組情報の取得が予定されているチャンネルを順次に切り替えて各選局チャンネルにおいてＳＩを取得するようになっている。
【０００６】
しかしながら、各チャンネルの番組情報の送出周期は、例えば、ＥＩＴ（event information table ）であれば規格上、最大１８０秒となっており、８チャンネル分のＥＩＴを取得しようとすれば、合計で２４分も必要になる。この間は放送受信装置の電源は投入されていなければならず、省電力の観点からも望ましくない。
【０００７】
この発明は、上記の事情に鑑み、効率的に番組情報の取得蓄積が行えるディジタル放送受信装置を提供することを目的とする。
【課題を解決するための手段】
【０００８】
この発明のディジタル放送受信装置は、上記の課題を解決するために、ディジタル放送波に載せられている番組情報を、チャンネルを順次に自動的に切り替えていくことにより、各チャンネルで取得していくディジタル放送受信装置において、番組情報の取得日時情報を記憶する手段と、番組情報の取得日時情報と現在日時情報とを比較し、前回の番組情報取得日時から所定時間が経過している場合に番組情報の取得を実行する手段と、を備えたことを特徴とする。
【０００９】
上記の構成であれば、番組情報の取得日時と現在時刻の差に基づいて番組情報の取得について選別を行うので、単に全てのチャンネルで番組情報を取得していくのに比べて番組情報取得のトータル時間を短縮することができる。
【００１０】
上記構成のディジタル放送受信装置において、ユーザによる電源ＯＦＦ指令を受けたときに、番組情報の取得処理を開始し、番組情報の取得後に電源ＯＦＦを実行するように構成されていてもよい。また、ユーザが前記所定時間を設定できるように構成されていてもよい。
【発明の効果】
【００１１】
この発明によれば、番組情報の取得日時と現在時刻の差に基づいて番組情報の取得について選別を行うので、単に全てのチャンネルについて番組情報を取得していくのに比べて番組情報取得のトータル時間を短縮することができ、電源ＯＮ時間も短くなり、省電力化が図れるという効果を奏する。
【発明を実施するための最良の形態】
【００１２】
以下、この発明の実施形態を図１及び図２に基づいて説明するが、ここではユーザが地上ディジタル放送を視聴する場合を例示している。図１はこの実施形態のディジタル放送受信装置３０を示したブロック図であり、図２は番組情報の取得処理を説明したフローチャートである。
【００１３】
図１において、地上波アンテナ１は屋外において所定の方向に向けて配置されており、地上ディジタル放送信号を受信する。この地上波アンテナ１は受信した信号を地上波ディジタルチューナ２に与える。
【００１４】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時間、番組内容情報等）などをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１６】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１８】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面やＥＰＧ画面などの表示が行えることになる。
【００２０】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。
【００２１】
メモリ（例えば、ＲＡＭ、ＥＥＰＲＯＭ、フラッシュメモリ等）１４には、ＥＰＧ画面を表示するための番組情報、及び番組情報の取得日時情報などが格納される。
【００２２】
ＣＰＵ１３は、このディジタル放送受信装置３０における全体制御を行うものであるが、特にこの発明にかかる処理として、番組情報を効率的に取得する処理を行うようになっている。この番組情報の取得処理を図２のフローチャートに基づいて説明していく。
【００２３】
ＣＰＵ１３は、ディジタル放送受信装置３０の初期電源投入時（購入当初）において、全てのチャンネルをスキャンし、有局判定を行うと共に、有局と判定されたチャンネルについて番組情報を取得し、メモリ１４の所定領域に格納する。また、ＣＰＵ１３はカレンダ機能を備え、各チャンネルについての番組情報の取得日時をメモリ１４に格納する（ステップＳ１）。なお、上記の初期処理以降においては、番組受信中はそのチャンネルの番組情報を取得する処理を行う。
【００２４】
次に、ＣＰＵ１３は、電源ＯＦＦの指令がなされたかどうかを判定する（ステップＳ２）。電源ＯＦＦ指令がなければ、選局中のチャンネルにおいて番組情報の変更の有無を判定する（ステップＳ３）。変更があれば、選局中のチャンネルの番組情報及び取得日時情報をメモリ１４に格納する（ステップＳ４）。
【００２５】
電源ＯＦＦ指令があった場合は、各局の番組情報を取得する処理を開始する。例えば、ＣＰＵ１３は、現在のチャンネルの一つ上の有局のチャンネルを選局する（ステップＳ５）。そして、全ての有局チャンネルについて選局が終了したかどうかを判定し（ステップＳ６）、終了したのであれば、ディジタル放送受信装置３０の電源をＯＦＦする（ステップＳ９）。なお、所定時間経過後に自動的に電源ＯＮして各チャンネルについて番組情報を取得するようにしてもよい。前記所定時間経過前にユーザ操作による電源ＯＮが行われたときには、速やかに受信処理を開始し、再び電源ＯＦＦを監視する。
【００２６】
ステップＳ６でＮＯとされたなら、選局中のチャンネルについてメモリ１４に格納されている番組情報の取得日時と現在時刻を比較し（ステップＳ７）、番組情報が旧いかどうかを判定する（ステップＳ８）。この実施形態では、取得日時と現在時刻の差が３時間を超える場合に、番組情報が旧いと判定する。番組情報が旧いと判定したときには、ステップＳ４に進み、選局中のチャンネルの番組情報を取得日時と共にメモリ１４に格納する。なお、上記の例では、選局中のチャンネルについてメモリ１４に格納されている番組情報の取得日時と現在時刻を比較したが、選局に先立って前記比較処理を行い、番組情報が新しいと判定したときにはチャンネル選局自体をスキップするようにしてもよい。
【００２７】
このように、番組情報の取得日時と現在時刻の差が３時間を超えないチャンネルについては、番組情報の変更は無いものとみなして番組情報の取得をスキップするので、単に全てのチャンネルで番組情報を取得していくのに比べて番組情報取得のトータル時間を短縮することができる。よって、電源ＯＮ時間も短くなり、省電力化が図れる。
【００２８】
上記の例では、取得日時と現在時刻の差が３時間を超える場合に番組情報が旧いと判定したが、これに限るものではない。例えば、上記の３時間に替えて、１時間或いは２時間などとしてもよい。また、有局チャンネル数×ＥＩＴの再送周期の時間を採用してもよい。有局チャンネル数が８個でＥＩＴの再送周期が１８０秒であるときには２４分となり、取得日時と現在時刻の差が上記２４分を超える場合に番組情報が旧いと判定するようにしてもよい。勿論、メーカー側で固定的に上記時間を設定するのではなく、ユーザが設定できるようにしてもよい。例えば、メニュー画面において「番組情報の更新取得時間」といった項目を設けておき、この項目上でユーザにより設定された時間を採用することとしてもよい。
【図面の簡単な説明】
【００２９】
【図１】この発明の実施形態のディジタル放送受信装置を示したブロック図である。
【図２】番組情報の取得処理を示したフローチャートである。
【符号の説明】
【００３０】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
0004688429.tif 000002
【図２】
0004688429.tif 000003